(57)【要約】【課題】記録紙との濡れ性が向上され、浸透速度が高く、形成される画像の劣化が極めて少なく、また着色剤や記録紙の種類の如何に関わらず浸透性、乾燥性に優れ、かつ滲み発生が少ない水性記録液であって、特にインクジェット記録方法用として有用な、高速印字および両面印字を可能とし、裏抜けのない高乾燥性の水性記録液を提供すること。【解決手段】水溶性または水分散性の着色剤、水溶性有機溶媒、水、および下記一般式（１）：【化１】2004285311.tif 000023（式中、Ｒ１、Ｒ２およびＲ３は独立に非置換または置換のベンジル基を表し、ｎは３〜２０の整数である）で表されるポリオキシエチレントリベンジルフェニルエーテル系化合物を含有する水性記録液。【選択図】    なし【特許請求の範囲】
【請求項１】
水溶性または水分散性の着色剤、水溶性有機溶媒、水、および下記一般式（１）：
【化１】
2004285311.tif 000022
（式中、Ｒ１、Ｒ２およびＲ３は独立に非置換または置換のベンジル基を表し、ｎは３〜２０の整数である）
で表されるポリオキシエチレントリベンジルフェニルエーテル系化合物を含有する水性記録液。
【請求項２】
前記ポリオキシエチレントリベンジルフェニルエーテル系化合物の含有量が、０．１〜５．０重量％である請求項１に記載の水性記録液。
【請求項３】
前記水溶性有機溶媒が、グリセリン１００重量部と、エチレングリコール、ジエチレングリコール、およびトリエチレングリコールより成る群から選択される少なくとも１種のエチレングリコール系化合物１００〜５００重量部を含む請求項１または２に記載の水性記録液。
【請求項４】
更に、２−エチル−１，３−ヘキサンジオール、２，２，４−トリメチル−１，３−ペンタンジオール、２−ｎ−ブチル−２−エチル−１，３−プロパンジオール、および２，４−ジエチル−１，５−ペンタンジオールより成る群から選択される少なくとも１種の２価アルコールを含有する請求項１〜３のいずれか１項に記載の水性記録液。
【請求項５】
更に、前記ポリオキシエチレントリベンジルフェニルエーテル系化合物以外の界面活性剤を含有する請求項１〜４のいずれか１項に記載の水性記録液。
【請求項６】
インクジェット記録方法による印字乃至画像形成用である請求項１〜５のいずれか１項に記載の水性記録液。
【発明の詳細な説明】
【０００１】
【発明の属する技術分野】
本発明は、圧電素子を用いるピエゾ方式またはインクに熱エネルギーを作用させるサーマル方式等のオンディマンド法、或いは荷電制御方式の連続噴射法が適用されるインクジェット記録用に適した水性記録液（以下、単に「インク」ということがある）に関し、特にＰＰＣ用紙等の普通紙に対し優れた記録特性を示すカラーインクに関する。また、水性筆記用具、記録計、ペンプロッター等の用途にも有用な水性記録液に関する。
【０００２】
【従来の技術】
近年、インクジェット記録方式は、本体が小型で価格が安く、低ランニングコスト、低騒音性等という利点を有していることから急速に普及しており、電子写真用転写紙、印刷用紙、タイプライター用紙、ワイヤードットプリンター用紙、ワードプロセッサー用紙、レター用紙、レポート用紙等種々の非塗工紙、いわゆる普通紙に印字可能なインクジェットプリンターも市場に投入されている。
【０００３】
これらインクジェットプリンターにおいて、吸収性、乾燥性等を改善し、より高品位な画像が得られる水性記録液（インク）に関する種々の提案がなされている。
しかしながら、水分の乾燥により吐出ヘッドノズル部の目詰まりが生じることなく吐出の信頼性が高いこと、そして一旦吐出されれば記録紙表面で速やかに吸収され乾燥すること、画像の色再現性、耐水性、耐光性等が良好であること、画像滲みがないこと等の全ての性能を十分に満足するインクを得ることは未だに実現していない。特に、カラープリンター用インクの場合、イエロー、マゼンタまたはシアンの単色印字部で画質劣化が無くとも、レッド部、グリーン部乃至ブルー部の２色重ね部分で打込み量過多による裏抜け、またはコックリング（支持体の波打ち）等、印字品質の劣化が発生しやすい傾向があった。
【０００４】
例えば、多価アルコール類および界面活性剤を配合した速乾性インクが提案されている（特許文献１参照）が、界面活性剤の使用量が多い場合に記録紙の種類により著しく惨みを生じるという問題があった。
【０００５】
湿潤剤とともに界面活性剤としてジアルキルスルホコハク酸を配合した、低温における乾燥性を向上させたインクが提案されている（特許文献２参照）が、記録紙の種類により画素径が著しく変化し、画像濃度の低下も著しい、また、ｐＨがアルカリ側では前記界面活性剤が分解し、長期保存安定性が悪いという問題があった。
【０００６】
アセチレン結合を有するエチレンオキサイド付加物を配合した記録液を用いて、浸透性を向上させ、惨みを少なくすることが提案されている（特許文献３参照）が、着色剤（染料）の種類によって、例えばＤＢＫ１６８等の直接性染料を用いた場合には、染料との相溶性が不良であるため乾燥速度が向上しないという問題があった。
【０００７】
また、上記アセチレン結合を有する界面活性剤は水に対する溶解性が低く、吐出安定性および目詰まり性の点で問題があることから、ポリオキシエチレン（アルキル）フェニルエーテル、ポリオキシエチレン（アルキル）フェニルエーテルのスルホン酸塩等を併用したインクが提案されている（特許文献４参照）が、上記アセチレン結合を有する界面活性剤の溶解性自体は改良されるものの、上述した望まれる性能を満足するものではなかった。
【０００８】
一方、湿潤剤、ホルムアミドもしくはピロリドン類、および強塩基性物質を配合した、印刷速乾性が改良されたインクが提案されている（特許文献５参照）。しかし、ロジンでサイジングされた酸性紙には、ある程度効果が認められるものの、サイズ剤として、アルキルケテンダイマー、アルケニルスルホコハク酸等を用いた紙に対しては効果がなかった。また、酸性紙の場合であっても２色重ね部分では効果がなかった。
【０００９】
多価アルコール誘導体およびペクチンを含有する記録液が提案されている（特許文献６参照）。ペクチンはコロイド性多糖類であり、増粘剤として滲みを防止するために配合されているものであるが、前記記録液は印字休止後における吐出安定性に欠けるという問題があった。
【００１０】
印刷画像の乾燥性を向上し、記録休止中のノズル内のインクが乾燥することによるノズル詰まりを防ぐため、界面活性剤としてポリオキシエチレンジアルキルフェニルエーテルまたはポリオキシエチレントリアルキルフェニルエーテルを配合したインクが提案されている（特許文献７参照）。また、同様にポリオキシエチレントリアルキルフェニルエーテルを配合したインクが提案されている（特許文献８参照）。しかし、これらの界面活性剤を使用しても、乾燥性の向上またはノズルの目詰まり防止に対して実用上十分な効果を発揮しているとはいえず、更なる改良が望まれている。
【００１１】
（特許文献９，特許文献１０）
インクジェットカラー記録方法について、特に色境界における異色インク同士の混じり合いを防止することについて提案されており、また、インク中にノニオン界面活性剤として、ポリオキシエチレンフェニルエーテルを添加することも記載されている。しかし、このポリオキシエチレンフェニルエーテルの添加によっても、異色インク同士の混じり合いを実用上十分に防止することはできなかった。
【００１２】
近年、インクジェットカラープリンターの出力速度の上昇、即ち、より一層の高速印字に対する要求があり、水性記録液（インク）には、高速印字においても記録紙上でカラーブリード（滲み）がなく、瞬時に乾燥し、擦っても手指を汚すことがなく、更に、記録紙に吸収されたインクの裏抜けが少なく両面印字を可能とすることが求められている。
【００１３】
【特許文献１】
特開昭５５−２９５４６号公報
【特許文献２】
特公昭６０−２３７９３号公報
【特許文献３】
特公昭５８−６７５２号公報
【特許文献４】
特開２００２−３０９１２号公報
【特許文献５】
特開昭５６−５７８６２号公報
【特許文献６】
特開平１−２０３４８３号公報
【特許文献７】
特開昭５９−２０３６６号公報
【特許文献８】
特開昭５９−６８３７９号公報
【特許文献９】
特開平６−２４１２３号公報
【特許文献１０】
特開平６−１９１１４３号公報
【００１４】
【発明が解決しようとする課題】
本発明は、上記従来技術の問題に鑑みてなされたもので、その目的とするところは、特に、高速印字が可能なインクジェット記録方法による印字乃至画像形成用として有用な、十分な乾燥性を有し、画像の裏抜けまたは滲み等の画像劣化のない水性記録液を提供することにある。
【００１５】
【課題を解決するための手段】
本発明者等は、上記課題を解決するため、記録紙への水性記録液の濡れ性が良好で浸透速度が十分に高い配合剤として、種々のポリオキシエチレンフェニルエーテル誘導体について検討を進めたところ、ポリオキシエチレントリベンジルフェニルエーテル系化合物が有効であり、また、従来から公知の界面活性剤に比較して、滲み等の画像劣化が極めて少ないことを見い出し、本発明を完成することができた。
【００１６】
即ち、本発明は、第一に
水溶性または水分散性の着色剤、水溶性有機溶媒、水、および下記一般式（１）
【００１７】
【化２】
2004285311.tif 000002
（式中、Ｒ１、Ｒ２およびＲ３は独立に非置換または置換のベンジル基を表し、ｎは３〜２０の整数である）
で表されるポリオキシエチレントリベンジルフェニルエーテル系化合物を含有する水性記録液を提供する。
【００１８】
また、本発明は、第二に、
インクジェット記録方法による印字乃至画像形成用である上記水性記録液を提供する。
【００１９】
【発明の実施の形態】
以下、本発明について詳細に説明する。
【００２０】
［ポリオキシエチレントリベンジルフェニルエーテル系化合物］
本発明に係る水性記録液は、下記一般式（１）  ：
【００２１】
【化３】
2004285311.tif 000003
（式中、Ｒ１、Ｒ２およびＲ３は独立に非置換または置換のベンジル基を表し、ｎは３〜２０の整数である）
で表されるポリオキシエチレントリベンジルフェニルエーテル系化合物（以下、単に「エーテル系化合物」という）が配合されたものである点に特徴を有する。前記エーテル系化合物は、ノニオン界面活性剤の１種であり、前記化合物の配合により、着色剤、記録紙等の種類を問わず、特に、水性記録液と記録紙表面との濡れ性が向上し、記録紙への浸透性および乾燥性に優れ、かつ印字滲みが少ないとの性能を有する本発明の水性記録液が得られる。
【００２２】
上記一般式（１）に記載の基Ｒ１〜Ｒ３のベンゼン環への置換位置には制限がなく、即ち、２，３，４−置換体、３，４，５−置換体、２，３，５−置換体、２，３，６−置換体、２，４，５−置換体、および２，４，６−置換体のいずれであっても使用することができる。中でも、コスト面から合成収率の高い２，４，６−置換体を用いることが好ましい。
【００２３】
上記Ｒ１〜Ｒ３が置換のベンジル基である場合、ベンジル基のベンゼン環の水素原子の１個以上が、例えば、メチル基、エチル基、プロピル基、イソプロピル基、ブチル基、ｔｅｒｔ−ブチル基等のアルキル基；トリフルオロメチル基、３，３，３−トリフルオロプロピル基等のハロゲン化アルキル基；メトキシ基、エトキシ基等のアルコキシ基；塩素原子、臭素原子、フッ素原子等のハロゲン原子；シアノ基（−ＣＮ）等で置換された基を挙げることができる。
【００２４】
上記一般式（１）中のｎ（オキシエチレン繰り返し単位数）は、３〜２０とすることが必要であり、好ましくは６〜１６である。ｎが３未満であると疎水性が高くなりすぎて水性記録液の溶解安定性または分散安定性に劣る傾向があり、また、逆に２０を超えると親水性が高くなりすぎて、印字画像の裏抜け、滲み等が生じる可能性が高まるとの問題がある。
【００２５】
上記エーテル系化合物としては、ＨＬＢ値（疎水性−親水性バランス）が、７〜１４であるものが好ましい。また、上記エーテル系化合物は、１種単独でも２種以上を組み合わせても使用することができる。例えば、オキシエチレン繰り返し単位数の異なるものを組み合わせて用いても差し支えない。
【００２６】
上記エーテル系化合物の具体例を以下に示すが、本発明で用いられるエーテル系化合物が、以下のものに限定されるとの趣旨ではない。
【００２７】
【化４】
2004285311.tif 000004
【００２８】
【化５】
2004285311.tif 000005
【００２９】
【化６】
2004285311.tif 000006
【００３０】
【化７】
2004285311.tif 000007
（上記各式中、ｎは上記のとおりである）
【００３１】
本発明の水性記録液中における上記エーテル系化合物の含有量は、０．１〜５．０重量％とすることが好ましく、０．２〜２．０重量％とすることがより好ましい。前記範囲内の含有量とすることにより、記録紙への浸透特性、印字画質、安定性等が良好な水性記録液を得ることができる。前記含有量が少なすぎると添加・配合効果がなく、また、逆に多すぎても印字画像の裏抜けという問題が生じやすくなる。
【００３２】
［水溶性有機溶媒］
本発明で用いる水溶性有機溶媒は、水性記録液の溶解安定性または分散安定性を向上させ、特に本発明の水性記録液をインクジェット記録用途に用いた場合に、吐出ヘッドのノズル部における目詰まりを防止しまたは軽度のものとするために配合される成分である。
【００３３】
この水溶性有機溶媒としては、上記性能が得られるものであれば、特に制限なく用いることができ、例えば、グリセリン、エチレングリコール、ジエチレングリコール、トリエチレングリコール、液状のポリエチレングリコール、液状のポリプロピレングリコール、１，３−プロパンジオール、１，２−ブタンジオール、１，３−ブタンジオール、１，４−ブタンジオール、プロピレングリコール、１，５−ペンタンジオール、１，６−ヘキサンジオール、１，２，６−ヘキサントリオール、１，２，４−ブタントリオール、１，２，３−ブタントリオール等の多価アルコール類；２−ピロリドン、Ｎ−メチル−２−ピロリドン、Ｎ−ヒドロキシエチル−２−ピロリドン、１，３−ジメチルイミダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド等のアミド類；ジメチルスルホキシド、スルホラン、チオジエタノール等の含硫黄化合物類；プロピレンカーボネート等が挙げられる。これらは、１種単独でも２種以上組み合わせても使用することができる。これらの中でも、グリセリンは水分散性着色剤の分散安定性の向上のために有効である。
【００３４】
特に、グリセリン１００重量部と、エチレングリコール、ジエチレングリコール、およびトリエチレングリコールより成る群から選択される少なくとも１種のエチレングリコール系化合物１００〜５００重量部、好ましくは２００〜４００重量部、との混合溶媒を用いることが好ましい。本発明の水性記録液に配合する上記エーテル系化合物の水に対する溶解度は５〜１０重量％程度であるが、前記混合溶媒を用いると上記エーテル系化合物の水への溶解性が向上して、均一な溶液または分散液を得ることができる。
【００３５】
グリセリンに対する上記エチレングリコール系化合物の混合量が少なすぎるとヘッド表面でインクが乾燥して水が蒸発したときにインクの高粘度化という問題があり、また、逆に多すぎてもインクの乾燥を抑える保湿効果が弱まるという問題があるので好ましくない。
【００３６】
本発明の水性記録液中における上記混合溶媒の含有量は、５〜５０重量％とすることが好ましく、１５〜４０重量％とすることがより好ましい。前記含有量の範囲とすることにより、特に、インクジエットプリンターのインクジェットヘッドの吐出口で、水性記録液中の水分が蒸発した場合でも、目詰まりを起しにくく正常な印字を行うことができ、また仮に目詰まりを起しても簡単なクリーニング操作で正常な印字状態に回復させることができる。前記含有量が少なすぎると水性記録液中の水分の蒸発によるノズル先端の目詰まりの発生を防止する効果が不十分となり、また、多すぎると水性記録液の粘度が上昇するため、インクジェット記録用として使用する際の吐出安定性が保てなくなる。なお、上記混合溶媒と他の水溶性有機溶媒とを組み合わせて使用しても差し支えない。
【００３７】
いずれの場合においても、水溶性有機溶媒の水性記録液中における含有量は、５〜５０重量％とすることが好ましい。
【００３８】
［特定の２価アルコールの併用］
本発明の水性記録液中に、更に、２−エチル−１，３−ヘキサンジオール、２，２，４−トリメチル−１，３−ペンタンジオール、２−ｎ−ブチル−２−エチル−１，３−プロパンジオール、および２，４−ジエチル−１，５−ペンタンジオールより成る群から選択される少なくとも１種の２価アルコールを配合すると、上記エーテル系化合物との相乗効果により、従来の記録紙への浸透性を高めたインクにおいて問題であった画像濃度の低下や、記録紙の層を水性記録液が抜け、印字画像が裏面まで染み出してしまう裏抜け（以下、「裏抜け」という）を防止することができる。前記２価アルコールを配合する場合、その水性記録液中の含有量は、好ましくは０．１〜５．０重量％、より好ましくは０．２〜３．０重量％とするのがよい。前記含有量が少なすぎれば添加効果が発揮されず、また、前記２価アルコールは水への溶解度が小さいので、その含有量が多すぎると水性記録液の溶解安定性が悪化する。
【００３９】
［他の界面活性剤の併用］
本発明の水性記録液には、必要に応じて、更に上記エーテル系化合物以外の他の界面活性剤を配合することができる。前記配合により、水性記録液と記録紙表面との濡れ性を更に向上し、水性記録液の記録紙内への浸透速度をより高めることが可能である。水性記録液中へ前記他の界面活性剤を配合する場合、その配合量は、好ましくは０．１〜５．０重量％、より好ましくは０．２〜２．０重量％とするのがよい。前記配合量が少なすぎると添加効果が不十分であり、多すぎると記録紙内への水性記録液の浸透性が必要以上に高くなり、画像濃度が低下し、裏抜けが生じるという問題がある。
【００４０】
前記他の界面活性剤としては、例えば、ドデシルベンゼンスルホン酸ナトリウム、ポリオキシエチレンアルキルエーテル酢酸ナトリウム、ラウリル酸ナトリウム、ポリオキシエチレンアルキルフェニルエーテルスルホン酸ナトリウム、ポリオキシエチレンアルキルフェニルエーテル硫酸エステルのナトリウム塩、ポリオキシエチレンアルキルエーテル硫酸エステルのアンモニウム塩等のアニオン界面活性剤；第４級アンモニウム塩等のカチオン界面活性剤；イミダゾリニウムベタイン等の両性界面活性剤；ポリオキシエチレンアルキルエーテル、ポリオキシエチレンアルキルフェニルエーテル、ポリオキシエチレンアルキルエステル、ポリオキシエチレンアルキルアミン、ポリオキシエチレンアルキルアミド、ポリオキシエチレンオキシプロピレンブロックコポリマー、ソルビタン脂肪酸エステル、ポリオキシエチレンソルビタン脂肪酸エステル、アセチレンアルコールのエチレンオキサイド添加物、アセチレングリコールのエチレンオキサイド添加物等のノニオン界面活性剤；フッ素系界面活性剤等が挙げられる。これらは、１種単独でも２種以上組み合わせても使用することができる。
【００４１】
［浸透剤の併用］
上記界面活性剤の他に、必要に応じて、水性記録液の表面張力を調整する等の目的で浸透剤を配合してもよい。この浸透剤としては、例えば、ジエチレングリコールモノフェニルエーテル、エチレングリコールモノフェニルエーテル、エチレングリコールブチルエーテル、エチレングリコールモノアリルエーテル、ジエチレングリコールモノフェニルエーテル、ジエチレングリコールモノブチルエーテル、トリエチレングリコールモノブチルエーテル、テトラエチレングリコールモノブチルエーテル、プロピレングリコールモノブチルエーテル、テトラエチレングリコールクロロフェニルエーテル等の多価アルコールのアルキルおよびアリールエーテル類、エタノール、２−プロパノール等の低級アルコール類、３−メチル−１−ブチン−３−オール、３−メチル−１−ペンチン−３−オール等のアセチレンアルコール類、２，５−ジメチル−３−ヘキシン−２，５−ジオール、３，４−ジメチル−４−オクチン−３，６６−ジオール等のアセチレングリコール類が挙げられる。
本発明の水性記録剤に前記浸透剤を配合する場合、その配合量は、好ましくは０．１〜１０重量％、より好ましくは２．０〜５．０重量％とするのがよい。
【００４２】
［水溶性または水分散性着色剤］
本発明で用いる水溶性または水分散性着色剤は、染料、顔料または両者の組み合わせのいずれでもよい。
＜染料＞
水溶性染料としては、カラーインデックスにおいて酸性染料、直接性染料、塩基性染料、反応性、および食用染料に分類される染料が用いられる。これら染料は複数の種類を混合して用いてもよいし、または必要に応じて本発明の効果を妨げない範囲で顔料等の他の色素と混合して用いてもよい。
本発明で用いられる水溶性染料の具体例を下記に挙げる。
【００４３】
酸性染料および食用染料として、Ｃ．Ｉ．アシッド・イエロー１７、２３、４２、４４、７９、１４２；Ｃ．Ｉ．アシッド・レッド１、８、１３、１４、１８、２６、２７、３５、３７、４２、５２、８２、８７、８９、９２、９７、１０６、１１１、１１４、１１５、１３４、１８６、２４９、２５４、２８９；Ｃ．Ｉ．アシッド・ブルー９、２９、４５、９２、２４９；Ｃ．Ｉ．アシッド・ブラック１、２、７、２４、２６、９４；Ｃ．Ｉ．フード・イエロー２、３、４；Ｃ．Ｉ．フード・レッド７、９、１４；Ｃ．Ｉ．フード・ブラック１、２等が挙げられる。
【００４４】
直接性染料として、Ｃ．Ｉ．ダイレクト・イエロー１、１２、２４、２６、３３、４４、５０、８６、１２０、１３２、１４２、１４４；Ｃ．Ｉ．ダイレクト・レッド１、４、９、１３、１７、２０、２８、３１、３９、８０、８１，８３、８９、２２５、２２７；Ｃ．Ｉ．ダイレクト・オレンジ２６、２９、６２、１０２；Ｃ．Ｉ．ダイレクト・ブルー１、２、６、１５、２２、２５、７１、７６、７９、８６、８７、９０、９８、１６３、１６５、１９９、２０２；Ｃ．Ｉ．ダイレクト・ブラック１９、２２、３２、３８、５１、５６、７１、７４、７５、７７、１５４、１６８、１７１等が挙げられる。
【００４５】
塩基性染料として、Ｃ．Ｉ．ベーシック・イエロー１、２、１１、１３、１４、１５、１９、２１、２３、２４、２５、２８、２９、３２、３６、４０、４１、４５、４９、５１、５３、６３、６５、６７、７０、７３、７７、８７、９１；Ｃ．Ｉ．ベーシック・レッド２、１２、１３、１４、１５、１８、２２、２３、２４、２７、２９、３５、３６、３８、３９、４６、４９、５１、５２、５４、５９、６８、６９、７０、７３、７８、８２、１０２、１０４、１０９、１１２；Ｃ．Ｉ．ベーシック・ブルー１、３、５、７、９、２１、２２、２６、３５、４１、４５、４７、５４、６２、６５、６６、６７、６９、７５、７７、７８、８９、９２、９３、１０５、１１７、１２０、１２２、１２４、１２９、１３７、１４１、１４７、１５５；Ｃ．Ｉ．ベーシック・ブラック２、８等が挙げられる。
【００４６】
反応性染料として、Ｃ．Ｉ．リアクティブ・ブラック３、４、７、１１、１２、１７；Ｃ．Ｉ．リアクテイブ・イエロー１、５、１１、１３、１４、２０、２１、２２、２５、４０、４７、５１、５５、６５、６７；Ｃ．Ｉ．リアクティブ・レッド１、１４、１７、２５、２６、３２、３７、４４、４６、５５、６０、６６、７４、７９、９６、９７；Ｃ．Ｉ．リアクティブ・ブルー１、２、７、１４、１５、２３、３２、３５、３８、４１、６３、８０、９５等が挙げられる。
【００４７】
上記染料の中でも、特に酸性染料および直接性染料が好ましく用いることができ、本発明の水性記録液の溶解安定性の向上や、色調、耐水性、耐光性等に優れた効果が得られる。水性記録液中への染料の添加量は、０．５〜１０．０重量％程度が好ましく、より好ましくは１．０〜８．０重量％程度である。
【００４８】
＜顔料＞
本発明の着色剤として顔料を用いる場合、特にその種類を限定することなく、無機顔料、有機顔料または両者の組み合わせを使用することができる。
【００４９】
着色剤を顔料とすると耐水性や耐光性が良好になる。また、顔料は水性記録液中に溶解せず分散状態となっているため、インクジェットで印字された際、水性記録液中の水、湿潤剤等よりも記録紙内に浸透しにくく、乾燥性はやや遅くなるが、裏抜けを防止することが容易となる。
【００５０】
本発明のインク中に配合される顔料は、平均粒径が１０〜２００ｎｍの範囲であることが好ましい。前記平均粒径とは、水性記録液中のブラウン運動を行っている粒子にレーザー光を照射し、粒子から戻ってくる光（後方散乱光）の振動数（光の周波数）の変化量から粒子径を求める動的光散乱法（ドップラー散乱光解析）を用いて測定した体積累積パーセントが５０％となるときの値を指す。平均粒径が小さすぎると裏抜けを防止する効果が少なく、逆に大きすぎると水性記録液内での分散安定性が悪く、長期保存時に凝集等により見掛けの粒径が大きくなって吐出安定性が劣るという問題がある。
水性記録液中への顔料の添加量は、０．５〜１０．０重量％が好ましく、より好ましくは１．０〜８．０重量％である。
【００５１】
無機顔料としては、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックを使用することができる。
【００５２】
また、有機顔料としては、アゾ顔料（アゾレーキ、不溶性アゾ顔料、縮合アゾ顔料、キレートアゾ顔料などを含む）、多環式顔料（例えば、フタロシアニン顔料、ベリレン顔料、ベリノン顔料、アントラキノン顔料、キナクリドン顔料、ジオキサジン顔料、インジゴ顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用することができる。これらの顔料のうち、水と親和性の良いものが好ましく用いられる。
【００５３】
本発明において好ましく用いられる顔料の具体例として、ブラックインク用としては、ファーネスブラック、ランプブラック、アセチレンブラック、チャンネルブラツク等のカーボンブラック（Ｃ．Ｉ．ピグメントブラック７）類、または銅、鉄（Ｃ．Ｉ．ピグメントブラック１１）、酸化チタン等の金属類、アニリンブラック（Ｃ．Ｉ．ピグメントブラック１）等の有機顔料が挙げられる。
これらに用いられるブラックインク用の顔料は、色調に優れるとともに、耐水性、耐光性、分散安定陸に優れ、且つ安価であることから、カーボンブラックであることが好ましい。
【００５４】
更に、カラー用としては、例えば、Ｃ．Ｉ．ピグメントイエロー１、３、１２、１３、１４、１７、２４、３４、３５、３７、４２（黄色酸化鉄）、５３、５５、８１、８３、９５、９７、９８、１００、１０１、１０４、１０８、１０９、１１０、１１７、１２０、１３８、１５０、１５３；Ｃ．Ｉ．ピグメントオレンジ５、１３、１６、１７、３６、４３、５１；Ｃ．Ｉ．ピグメントレッド１、２、３、５、１７、２２、２３、３１、３８、４８：１、４８：２〔パーマネントレッド２Ｂ８（Ｃａ）〕、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９；Ｃ．Ｉ．ピグメントバイオレット１（ローダミンレーキ）、３、５：１、１６、１９、２３、３８；Ｃ．Ｉ．ピグメントブルー１、２、１５（フタロシアニンブルー）、１５：１、１５：２、１５：３（フタロシアニンブルー）、１６、１７：１、５６、６０、６３；Ｃ．Ｉ．ピグメントグリーン１、４、７、８、１０、１７、１８、３６等が挙げられる。
【００５５】
その他顔料（例えば、カーボンブラック）の表面を樹脂等で処理し、水中に分散可能としたグラフト顔料を使用してもよい。顔料をマイクロカプセルに包含させ、該顔料を水中に分散可能なものとしたものでもよい。
【００５６】
また、スルホン酸基、カルポキシル基等の官能基が直接顔料表面に結合されるように顔料自体が表面改質されているものも、顔料の分散安定性が向上するばかりではなく、高品位な印字品質の顔料インクが得られ、印字後の記録画像の耐水性がより向上することから好ましい。この場合には、顔料インクは乾燥後の再分散性に優れるため、長期間印字を休止し、インクジェットヘッドのノズル付近におけるインクの水分が蒸発した場合も目詰まりを起こさず、簡単なクリーニング動作で容易に良好な印字が行えるようになる。
【００５７】
上記顔料の表面改質の方法としては、例えば、下記の方法が挙げられる。
（１）カーボンブラックの表面酸化処理
中性カーボンや酸性カーボン、またカーボンブラックをオゾン酸化させたものを、湿式で酸化剤により表面処理した表面酸化処理カーボンブラックの製造方法がある。これら表面酸化処理によって得られたカーボンブラックは、粒子表面にヒドロキシル基、キノン基、カルボキシル基が存在し、該カルボキシル基を中和することにより水中で安定に分散する。酸化剤としてば、硝酸、次亜塩素酸、ペルオキシ硫酸等が使用される。
【００５８】
（２）カーボンブラック及び有機顔料の表面化学結合
カーボンブラックまたは有機顔料の表面に親水性基とジアゾニウム塩基を有する化合物をジアゾカップリング反応により化学結合をさせ、カーボンブラック等の表面に親水性基を導入する方法がある。この方法によると表面に結合させる化合物の親水性基として、カルボキシル基、スルホン酸基またはアミノ基など、種々のアニオン性基および／またはカチオン性基を導入することができる。
【００５９】
（３）有機顔料の表面スルホン化処理
有機顔料をスルホラン等のスルホン化溶剤中で酸化硫黄、スルファミン酸等のスルホン化剤により顔料表面をスルホン化し、その後水系に転相させる。この方法により、種々の有機顔料の表面スルホン化処理が可能である。
【００６０】
＜顔料分散液の調製＞
顔料は、分散剤を用いて予め水性媒体中に分散させ顔料分散液としておき、この状態で水性記録液中に添加されるのが好ましい。好ましい分散剤としては、従来から顔料分散液を調整するために用いられる公知のものを全て使用することができる。
【００６１】
前記分散剤として、例えば、ポリアクリル酸、ポリメタクリル酸、アクリル酸−アクリロニトリル共重合体、酢酸ビニル−アクリル酸アルキルエステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニル−エチレン共重合体、酢酸ビニル−マレイン酸エステル共重合体、酢酸ビニル−クロトン酸共重合体、酢酸ビニル−アクリル酸共重合体等が挙げられる。
上記重合体または共重合体は、重量平均分子量が３，０００〜５０，０００であるのが好ましく、より好ましくは５，０００〜３０，０００、更に好ましくは７，０００〜１５，０００である。
【００６２】
また、水溶性界面活性剤を顔料分散剤として使用することも可能である。この場合、上記の重合体または共重合体を使用する場合よりも、同じ使用量でインク粘度の上昇の程度が小さく、特にインクジェット記録法に用いたときに吐出特性が良好な顔料インクを容易に得ることができる。
【００６３】
顔料分散剤として使用できる水溶性界面活性剤を下記に示す。
アニオン界面活性剤としては、例えば、アルキルアリール−またはアルキルナフタレンスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルキルオレフィンスルホン酸塩、ポリオキシエチレンアルキルエーテルリン酸塩、ポリオキシエチレンアルキルエーテルスルホン酸塩、ポリオキシエチレンアルキルエーテル硫酸エステル塩、エーテルカルボキシレート、スルホコハク酸塩、α−スルホ脂肪酸エステル、高級脂肪酸塩、高級脂肪酸とアミノ酸の縮合物、ナフテン酸塩等が挙げられる。
【００６４】
カチオン界面活性剤としては、例えば、アルキルアミン塩、ジアルキルアミン塩、脂肪族アミン塩、ベンザルコニウム塩、第４級アンモニウム塩、アルキルピリジニウム塩、イミダゾリニウム塩、スルホニウム塩、ホスホニウム塩等が挙げられる。
【００６５】
ノニオン界面活性剤としては、例えば、ポリオキシエチレンアルキルエーテル、ポリオキシエチレンアルキルアリルエーテル、ポリオキシエチレンアルキルフェニルエーテル、ポリオキシエチレングリコールエステル、ポリオキシエチレン脂肪酸アミド、ポリオキシエチレン脂肪酸エステル、オキシエチレンオキシプロピレン共重合体、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、アミンオキシド類、ポリオキシエチレンアルキルアミン、グリセリン脂肪酸エステル、ソルビタン脂肪酸エステル、ポリオキシエチレンソルビタン脂肪酸エステル、ポリオキシエチレンソルビトール脂肪酸エステル、アルキル（ポリ）グリコキシド等が挙げられる。
【００６６】
両性界面活性剤としては、例えば、イミダゾリニウムベタイン等のイミダゾリン誘導体、ジメチルアルキルラウリルベタイン、アルキルグリシン、アルキルジ（アミノエチル）グリシン等のアミノカルボン酸系化合物が挙げられる。
【００６７】
上記顔料分散剤の添加量は、顔料を分散液中に安定に分散させ、本発明の他の効果を失わせない範囲であればよく特に制限されないが、顔料１００重量部に対して、通常、６〜３００重量部程度の範囲が好ましく、より好ましくは１２．５〜３００重量部程度の範囲である。
【００６８】
分散剤としては、分子中にカルボキシル基を有しているものが、顔料の分散安定性が向上するばかりではなく、高品位な印字品質の顔料インクが得られ、印字後の記録画像の耐水性がより向上し、更に、裏抜けを防止する効果も得られるので好ましい。
【００６９】
［その他の配合成分］
本発明の水性記録液に、上述の成分以外に、更に必要に応じて本発明の水性記録剤の効果を損ねない範囲で、その他の成分を添加・配合することは任意である。
【００７０】
＜樹脂エマルジョン＞
本発明の水性記録液には、樹脂エマルジョンが配合されていてもよい。樹脂エマルジョンは、増粘・凝集する性質を有し、着色成分の記録紙への浸透を抑制し、更に記録紙への定着を促進する効果を有する。また、樹脂エマルジョンの種類によっては記録紙上で皮膜を形成して、印刷物の耐擦過性をも向上させる効果を有する。
【００７１】
本発明に用いることのできる樹脂エマルジョンとは、連続相が水であり、分散相が、例えば、アクリル系樹脂、酢酸ビニル系樹脂、スチレン−ブタジエン系樹脂、塩化ビニル系樹脂、アクリル−スチレン系樹脂、ブタジエン系樹脂、スチレン系樹脂等の樹脂成分であるエマルジョンである。前記樹脂成分は親水性部分と疎水性部分とを併せ持つ重合体であるのが好ましい。これらの樹脂エマルジョンは、樹脂粒子を、必要に応じて界面活性剤とともに水中に攪拌して混合することによって得ることができる。エマルジョン中の樹脂成分の粒子径は、特に限定されないが、通常、１５０ｎｍ程度以下が好ましく、より好ましくは５〜１００ｎｍ程度である。
【００７２】
市販の樹脂エマルジョンとしては、マイクロジェルＥ−１００２、Ｅ−５００２（商品名、スチレン−アクリル系樹脂エマルジョン、日本ペイント（株）製）、ボンコート４００１（商品名、アクリル系樹脂エマルジョン、大日本インキ化学工業（株）製）、ボンコート５４５４（商品名、スチレン−アクリル系樹脂エマルジョン、大日本インキ化学工業（株）製）、ＳＡＥ−１０１４（商品名、スチレン−アクリル系樹脂エマルジョン、日本ゼオン（株）製）、サイビノールＳＫ−２００（商品名、アクリル系樹脂エマルジョン、サイデン化学（株）製）等が挙げられる。
【００７３】
本発明の水性記録液に樹脂エマルジョンを配合する場合、エマルジョン中の樹脂成分の含有量が、好ましくは０．１〜４０重量％、より好ましくは１〜２５重量％の範囲となるように配合するのがよい。
【００７４】
＜糖類＞
更に、糖類が配合されていてもよい。糖類の例としては、単糖類、二糖類、オリゴ糖類（三糖類および四糖類を含む）および多糖類が挙げられ、好ましくはグルコース、マンノース、フルクトース、リボース、キシロース、アラビノース、ガラクトース、マルトース、セロビオース、ラクトース、スクロース、トレハロース、マルトトリオース等が挙げられる。ここで、多糖類とは広義の糖を意味し、α−シクロデキストリン、セルロースなど自然界に広く存在する物質を含む意味で用いられる。
【００７５】
前記の糖類の誘導体としては、上記糖類の還元糖｛例えば、一般式：ＨＯＣＨ２（ＣＨＯＨ）ｍＣＨ２ＯＨ（ｍは、２〜５の整数）で表される糖アルコール｝、酸化糖（例えば、アルドン酸、ウロン酸等）、アミノ酸誘導体、チオ酸誘導体等が挙げられる。これらの中でも、糖アルコールが好ましく、具体例としてはマルチトール、ソルビット等が挙げられる。
これらの糖類（誘導体）を配合する場合、その本発明の水性記録中での含有量は、好ましくは０．１〜４０重量％、より好ましくは０．５〜３０重量％程度の範囲が適当である。
【００７６】
＜防腐防黴剤、ｐＨ調整剤、キレート試薬、防錆剤等＞
更に、本発明の水性記録液中には、防腐防黴剤、ｐＨ調整剤、キレート試薬等を添加することができる。
【００７７】
防腐防徽剤としては、デヒドロ酢酸ナトリウム、ソルビン酸ナトリウム、２−ピリジンチオール−１−オキサイドナトリウム、安息香酸ナトリウム、ペンタクロロフェノールナトリウム等が使用できる。
【００７８】
ｐＨ調整剤としては、調合されるインクに悪影響を及ぼさずにｐＨを７以上に調整することにより溶解安定性または分散安定性を確保することができるものであれば、任意の化合物を使用することができる。
【００７９】
その例として、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
【００８０】
本発明の水性記録液中には、不純物としてマグネシウム、カルシウム、アルミニウム、銅、鉄等の金属イオンが含まれる場合があり、その結果、前記金属イオンが染料分子中のスルホン酸基等と結合して沈殿を生じたり、または顔料系分散剤のカルボキシル基と結合することにより顔料粒子の凝集が生じたりするという問題を生じることがある。当該不純物金属イオンと錯体を形成し、無害化することを目的として、キレート試薬を配合することができる。前記キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等が挙げられる。
【００８１】
防錆剤として、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等を配合することができる。
その他、必要に応じて水溶性紫外線吸収剤および／または水溶性赤外線吸収剤を添加することもできる。
【００８２】
［用途等］
本発明の水性記録液は、特に、インクジェット記録方法用に好適に用いられる。そして、記録紙への濡れ性、浸透性、乾燥性等が良好であり、長期間印字を休止し、インクジェットヘッドのノズル付近に滞留する水性記録液の水分が蒸発した場合も目詰まりを起こさず、仮に目詰まりが生じたとしても簡単なクリーニング動作で容易に良好な印字が行うことができる。なお、本発明の水性記録液をインクジェット記録方法に使用する場合、インク吐出性、画質等の点から、ヘッドの吐出力により異なるが、水性記録液の粘度を、通常、１０ｍＰａ・ｓ以下とすることが好ましい。
【００８３】
また、本発明の水性記録液は、水性ペン、水性マーカー、水性ボールペン等の一般の筆記用具、または記録計もしくはペンプロッター用の水性記録液として、更に、インクとして適用できる用途に全て使用することができる。
【００８４】
【実施例】
以下に、本発明の実施例および比較例を示すが、本発明はこれらに限定されるものではない。
【００８５】
2004285311.tif 000008
を、均一に混合した後、ｐＨが８〜９になるように水酸化リチウム１０重量％水溶液にて調整した。その後、平均孔径０．２μｍのメンブレンフィルターで濾過を行い、水性記録液１を得た。
【００８６】
2004285311.tif 000009
を、均一に混合した後、水酸化リチウム１０重量％を、水酸化ナトリウム１０重量％に変更すること以外は、実施例１と同様に処理して水性記録液２を得た。
【００８７】
2004285311.tif 000010
を、均一に混合した後、実施例１と同様に処理して水性記録液３を得た。
【００８８】
2004285311.tif 000011
を、均一に混合した後、実施例１と同様に処理して水性記録液４を得た。
【００８９】
2004285311.tif 000012
を、均一に混合した後、実施例１と同様に処理して水性記録液５を得た。
【００９０】
2004285311.tif 000013
を、均一に混合した後、実施例１と同様に処理して水性記録液６を得た。
【００９１】
2004285311.tif 000014
の混合物を、１リットルの容器に入れ、直径０．３ｍｍのジルコニアビーズを９００ｇ加えてカンペ製バッチ式卓上サンドミルを用いて４８時間攪拌し、顔料分散液１を得た。得られた顔料分散液１中の顔料の平均粒径は１０２ｎｍであった（前記平均粒径は、日機装（株）製、マイクロトラックＵＰＡ１５０を使用して測定した）。
【００９２】
次に、
2004285311.tif 000015
を、均一に混合した後、実施例２と同様に処理して水性記録液７を得た。
【００９３】
2004285311.tif 000016
の混合物を用いて、実施例７と同様に処理して顔料分散液２を得た。得られた顔料分散液２中の顔料の平均粒径は１１４ｎｍであった。
【００９４】
次に、
2004285311.tif 000017
を、均一に混合した後、実施例２と同様に処理して水性記録液８を得た。
【００９５】
2004285311.tif 000018
を、均一に混合した後、実施例１と同様に処理して水性記録液９を得た。
【００９６】
2004285311.tif 000019
を、均一に混合した後、実施例２と同様に処理して水性記録液１０を得た。
【００９７】
2004285311.tif 000020
を、均一に混合した後、実施例２と同様に処理して水性記録液１１を得た。
【００９８】
［評価手法］
次に、上記実施例１〜８および比較例１〜３で得られた水性記録液１〜１１について、各水性記録液をインクカートリッジに収納し、ピエゾ方式のインクジェットプリンター（商品名：ＩＰＳＩＯ  ＪＥＴ３００、（株）リコー製）を使用し、記録紙としてＮＢＳマイペーパー（商品名、サイズ度：１２ｓ、透気度：１６ｓ、（株）リコー製）を用いて印字を行い、画像の鮮明性、画像の乾燥性、裏抜け、耐擦過性、画像の埋まり、保存性について、下記評価条件で評価を行った。各評価項目に対する評価結果を下記表１に示す。
【００９９】
（１）画像の鮮明性：
乾燥後の画像ついて、２色重ね部境界の惨み、画像惨み、色調および濃度の程度を、目視および反射型カラー分光測色濃度計（Ｘ−Ｒｉｔｅ社製）により総合的に判断した。イエロー以外の画像濃度が１．００以上、イエローの画像濃度が０．８５以上で、２色重ね部境界の惨み、および画像惨みが目視で確認できないものを良好と評価し○で表示した、また、前記条件の何れかを満足しないものを不良と評価し×で表示した。
【０１００】
（２）画像の乾燥性：
ベタ画像印字後の画像に、一定時間経過後に０．１ｋｇ／ｃｍ２の圧力で濾紙を押しつけ、インクが濾紙に転写しなくなるまでの時間を測定した。前記時間が３秒以内である場合を○で表示し、３秒を超す場合を×で表示した。
【０１０１】
（３）裏抜け：
記録紙に反射型カラー分光測色濃度計（Ｘ−Ｒｉｔｅ社製）で測定した各インク色での濃度が１．０となる様にベタ画像を形成した。この画像を裏面から目視観察し、ベタ画像と白地部分の境界が完全に不明確で両面印字に使用しても支障のない状態について◎で表示し、ベタ画像と白地部分の境界がほとんど不明確で両面印字に使用しても特に支障のない状態について○で表示し、また、ベタ画像と白地部分の境界が明らかで両面印字に使用する場合に支障がある状態について×で表示した。
【０１０２】
（４）耐擦過性：
記録紙に形成された画像を、印字３０秒後に、指、布、消しゴム、およびマーキングペンで擦過し、擦過後の様子を目視にて観察して、擦過により画像に変化が生じない場合を○で表示し、画像に少しでも変化が生じた場合を×で表示した。
【０１０３】
（５）画像の埋まり：
印字、乾燥後のベタ画像を目視で観察し、ベタ画像にむらがなく均一である場合を○で表示し、ベタ画像にむらがあったり、画像が薄く紙面が見える程度に不均一な場合を×で表示した。
【０１０４】
（６）保存性：
インクカートリッジをインクジェットプリンターにセットしたまま、６０℃で７日間放置し、その後インクジェットプリンターのクリーニング操作で印字可能である場合を○で表示し、印字ヘッドノズルの目詰まりが解消せず印字不良である場合を×で表示した。
【０１０５】
【表１】
2004285311.tif 000021
【０１０６】
表１に示した結果から、本発明の水性記録液を用いた場合には、いずれも比較例に較べて、画像の鮮明性、画像の乾燥性、裏抜け、耐擦過性、画像の埋まり、および保存性の点で優れており、高速プリントに対しても高乾燥性で、かつ裏抜けのない印字のできることが確認された。
【０１０７】
【発明の効果】
本発明の水性記録液として、ポリオキシエチレントリベンジルフェニルエーテル系化合物を配合したものを使用することにより、インクと紙表面との濡れ性を向上し、記録紙への浸透速度を高めることが可能となるばかりでなく、従来の界面活性剤を用いて浸透性を高めた場合に較べて画像劣化が極めて少なく、また着色剤や記録紙の種類の如何に関わらず浸透性、乾燥性に優れ、かつ滲みが少ないため、これにより、特にインクジェット記録方法用として有用な、高速印字および両面印字を可能とし、裏抜けのない高乾燥性の水性記録液が提供される。